(57)【特許請求の範囲】
【請求項１】
左右方向平面状に隣接する左右一対の平面部パネル材と、該平面部パネル材隣接部位から前後方向直角状となって延設して脚部となる脚部パネル材とでＴ字状に配設される三枚のパネル材を連結するための連結具であって、該連結具は、互いに前後方向から雄雌係合することで抜止め状に一体化する雌型部材と雄型部材とからなり、前記雌型部材は、左右一対の平面部パネル材の前後方向一方の面板にそれぞれ当接する本体部と、該本体部の平面部パネル材隣接部位から雄型部材側に向けて突出する雌型係合部と、該雌型係合部に形成された係止突起とを備え、雄型部材は、前記左右一対の平面部パネルの前後方向他方の面板にそれぞれ当接する本体部と、該本体部の平面部パネル材隣接部位から雌型部材側に向けて突出していて雌型係合部に雄雌係合する雄型係合部と、該雄型係合部に形成され、雌型係合部の係止突起に係止して雄型部材と雌型部材とを抜止め状に一体化する係止突起とを備えて構成され、雌型部材または雄型部材の何れか一方の本体部には、左右方向中央部位を挟む状態で一対が脚部パネル材側に向けて突出する嵌合部により脚部パネル材を嵌合保持するための第一嵌合溝が形成され、左右一対の平面部パネル材を嵌合保持するための第二、第三嵌合溝は、雄型係合部と雌型係合部とを雄雌係合することで互いに対向する雌型、雄型部材の本体部同士の対向間に形成されることでＴ字形のパネル材の連結ができるように構成したものであり、前記第二、第三嵌合溝を形成する本体部は、先端側ほど対向間隔が狭くなるよう湾曲していて、平面部パネル材を弾性変形する状態で嵌合するものであり、前記第一嵌合溝を形成する嵌合部は、先端側ほど対向間隔が狭くなるよう湾曲する状態で前記本体部の湾曲部位から突出していて、脚部パネル材を弾性変形する状態で嵌合するものであり、前記第二、第三嵌合溝は、前記雄型係合部と雌型係合部との雄雌係合の係合深さが複数設定されていることで、前記本体部の湾曲した先端部による弾性変形状態での平面部パネル材の嵌合を維持した状態で溝幅の調整ができるよう設定されていることを特徴とするパネル材の連結具。
【請求項２】
雌型部材の係止突起及び雄型部材の係止突起は少なくとも一方が複数形成されていて異なった厚さのパネル材の連結に対応できるように構成されていることを特徴とする請求項１記載のパネル材の連結具。
【請求項３】
嵌合溝は、弾性変形することで異なった厚さの脚部パネル材の嵌合保持ができるようになっていることを特徴とする請求項１または２記載のパネル材の連結具。
【請求項４】
嵌合溝による脚部パネル材の嵌合保持力が不十分な場合、脚部パネル体にスペーサを外嵌して嵌合溝に嵌合保持するように構成したことを特徴とする請求項１乃至３の何れか１記載のパネル材の連結具。
【請求項５】
嵌合溝は、雌型部材、雄型部材の両本体部に形成されていて、十文字状のパネル材の連結ができるようになっていることを特徴とする請求項１乃至４の何れか１記載のパネル材の連結具。
【請求項６】
第一嵌合溝は、雌型部材、雄型部材の何れか一方の部材の本体部に形成されるものであり、他方で連結している部材は、平面状に隣接する一対のパネル材のみを連結するための連結具の部材として兼用されることを特徴とする請求項１記載のパネル材の連結具。
【発明の詳細な説明】
【技術分野】
【０００１】
本発明は、ガラス板等のパネル材の連結具の技術分野に関するものである。
【背景技術】
【０００２】
一般に、ガラス板等のパネル材を組み立てて間仕切り等に使用する場合、隣接するパネル材同士を連結具（ジョイント材）を介して連結（接続）することが試みられている。そしてこのような連結具として、隣接する一対のパネル材同士を平面状あるいは直角状（Ｌ字状）に連結するようにしたものが提案されている（例えば特許文献１、２参照）。
【先行技術文献】
【特許文献】
【０００３】
【特許文献１】特許第２７４６２３１号公報
【特許文献２】特許第４６４６４５３号公報
【発明の概要】
【発明が解決しようとする課題】
【０００４】
しかしながら、パネル材を連結する場合に、Ｔ字形になった三枚のパネル材を連結することが要求されることがあり、このような場合の連結具については知られておらず、ここに本発明の解決すべき課題がある。
【課題を解決するための手段】
【０００５】
本発明は、上記の如き実情に鑑みこれらの課題を解決することを目的として創作されたものであって、請求項１の発明は、左右方向平面状に隣接する左右一対の平面部パネル材と、該平面部パネル材隣接部位から前後方向直角状となって延設して脚部となる脚部パネル材とでＴ字状に配設される三枚のパネル材を連結するための連結具であって、該連結具は、互いに前後方向から雄雌係合することで抜止め状に一体化する雌型部材と雄型部材とからなり、前記雌型部材は、左右一対の平面部パネル材の前後方向一方の面板にそれぞれ当接する本体部と、該本体部の平面部パネル材隣接部位から雄型部材側に向けて突出する雌型係合部と、該雌型係合部に形成された係止突起とを備え、雄型部材は、前記左右一対の平面部パネルの前後方向他方の面板にそれぞれ当接する本体部と、該本体部の平面部パネル材隣接部位から雌型部材側に向けて突出していて雌型係合部に雄雌係合する雄型係合部と、該雄型係合部に形成され、雌型係合部の係止突起に係止して雄型部材と雌型部材とを抜止め状に一体化する係止突起とを備えて構成され、雌型部材または雄型部材の何れか一方の本体部には、左右方向中央部位を挟む状態で一対が脚部パネル材側に向けて突出する嵌合部により脚部パネル材を嵌合保持するための第一嵌合溝が形成され、左右一対の平面部パネル材を嵌合保持するための第二、第三嵌合溝は、雄型係合部と雌型係合部とを雄雌係合することで互いに対向する雌型、雄型部材の本体部同士の対向間に形成されることでＴ字形のパネル材の連結ができるように構成したものであり、前記第二、第三嵌合溝を形成する本体部は、先端側ほど対向間隔が狭くなるよう湾曲していて、平面部パネル材を弾性変形する状態で嵌合するものであり、前記第一嵌合溝を形成する嵌合部は、先端側ほど対向間隔が狭くなるよう湾曲する状態で前記本体部の湾曲部位から突出していて、脚部パネル材を弾性変形する状態で嵌合するものであり、前記第二、第三嵌合溝は、前記雄型係合部と雌型係合部との雄雌係合の係合深さが複数設定されていることで、前記本体部の湾曲した先端部による弾性変形状態での平面部パネル材の嵌合を維持した状態で溝幅の調整ができるよう設定されていることを特徴とするパネル材の連結具である。
請求項２の発明は、雌型部材の係止突起及び雄型部材の係止突起は少なくとも一方が複数形成されていて異なった厚さのパネル材の連結に対応できるように構成されていることを特徴とする請求項１記載のパネル材の連結具である。
請求項３の発明は、嵌合溝は、弾性変形することで異なった厚さの脚部パネル材の嵌合保持ができるようになっていることを特徴とする請求項１または２記載のパネル材の連結具である。
請求項４の発明は、嵌合溝による脚部パネル材の嵌合保持力が不十分な場合、脚部パネル体にスペーサを外嵌して嵌合溝に嵌合保持するように構成したことを特徴とする請求項１乃至３の何れか１記載のパネル材の連結具である。
請求項５の発明は、嵌合溝は、雌型部材、雄型部材の両本体部に形成されていて、十文字状のパネル材の連結ができるようになっていることを特徴とする請求項１乃至４の何れか１記載のパネル材の連結具である。
請求項６の発明は、第一嵌合溝は、雌型部材、雄型部材の何れか一方の部材の本体部に形成されるものであり、他方で連結している部材は、平面状に隣接する一対のパネル材のみを連結するための連結具の部材として兼用されることを特徴とする請求項１記載のパネル材の連結具である。
【発明の効果】
【０００６】
請求項１の発明とすることにより、Ｔ字状に配した三枚のパネル材の連結が、互いに雄雌嵌合することで抜止め状に一体化する雌型部材、雄型部材を用いて簡単にできることになる。
請求項２の発明とすることにより、雌型部材、雄型部材同士の雄雌嵌合が厚さの異なったパネル体に対応してできることになる。
請求項３の発明とすることにより、厚さの異なったパネル体の嵌合溝への嵌合保持ができることになる。
請求項４の発明とすることにより、パネル材の厚さが薄く、嵌合溝での嵌合保持力が不足する場合でも確実な嵌合保持ができることになる。
請求項５の発明とすることにより、嵌合溝が雌型部材、雄型部材の両者に形成されることになって、十文字状のパネル材の連結ができることになる。
請求項６の発明とすることにより、雄型部材の兼用化が図れることになる。
【図面の簡単な説明】
【０００７】
【図１】（Ａ）（Ｂ）は建て付けられたパネル材の概略の正面図、平面図である。
【図２】建て付けられたパネル材の縦断面図である。
【図３】建て付けられたパネル材の平面図である。
【図４】（Ａ）（Ｂ）（Ｃ）は雌型部材、雄型部材、雌型部材および雄型部材を雄雌嵌合した状態をそれぞれ示す平面図である。
【図５】（Ａ）（Ｂ）（Ｃ）は厚さの異なる第一〜第三のパネル材をＴ字状に連結した状態をそれぞれ示す平面図である。
【図６】（Ａ）（Ｂ）（Ｃ）は第一の参考例を示す雌型部材、雄型部材、雌型部材および雄型部材を雄雌嵌合した状態をそれぞれ示す平面図である。
【図７】（Ａ）（Ｂ）（Ｃ）は第一の参考例を示す連結具用いて厚さの異なる第一〜第三のパネル材を平面状に連結した状態をそれぞれ示す平面図である。
【図８】（Ａ）（Ｂ）（Ｃ）は第二の参考例を示す雌型部材、雄型部材、雌型部材および雄型部材を雄雌嵌合した状態をそれぞれ示す平面図である。
【図９】（Ａ）（Ｂ）（Ｃ）は第二の参考例を示す連結具用いて厚さの異なる第一〜第三のパネル材を直角状に連結した状態をそれぞれ示す平面図である。
【図１０】（Ａ）（Ｂ）（Ｃ）は第二の実施の形態を示す雌型部材、雄型部材、Ｔ字状にしたパネル体の連結状態をそれぞれ示す平面図である。
【図１１】（Ａ）（Ｂ）（Ｃ）は第三の実施の形態を示す雌型部材、雄型部材、十字状にしたパネル体の連結状態をそれぞれ示す平面図である。
【発明を実施するための形態】
【０００８】
以下、本発明の実施の形態について、図面に基づいて説明する。図面において、１はガラス板等のパネル材であって、本実施の形態では間仕切りとして使用されるものであるが、前記パネル材１は、上下の端縁部が上下の枠材２、３を介して天井部Ｈと床部Ｆとに取付けられている。上枠材２は、天井部Ｈにビス２ａを介して固定される枠本体２ｂと、該枠本体２ｂにパネル材１を当てがった状態でビス２ｃを介して固定される押し縁２ｄとにより構成されている。
また下枠材３は、アンカーボルト３ａを介して床部Ｆに固定される枠本体３ｂと、該枠本体３ｂにパネル材１を当てがった状態でビス３ｃを介して固定される押し縁３ｄとにより構成されている。
さらに後述するように連結具５を介して連結されるパネル材１のうちの端パネルの躯体（壁）Ｗ側端縁部は、パネル嵌合溝４ａが形成された縦枠材４を介して取付けられるが、このものにおいて、図３に示すように、縦枠材４は、躯体Ｗに取付けレール材４ｂが埋設固定されている場合には、取付けレール４ｂの跨部にビス４ｃを介して固定され、取付けレール４ｂがない場合には、躯体Ｗ側が跨部となってビス４ｄを介して固定される凵字形の第一レール材４ｅと、躯体Ｗ側が開口した冂字形の第二レール４ｆとを互いに嵌合させたものの第二レール材４ｆの跨部にビス４ｃを介して固定され、さらに躯体Ｗに固定されず、躯体とのあいだに開口を有する場合には、床部Ｆと天井部Ｈとのあいだに支持される中間縦枠材４ｇにビス４ｃを介して固定されるようになっている。
【０００９】
５はパネル材１の三枚がＴ字状に配されていて、左右方向に平面状に隣接する左右一対の平面部パネル材１ａと、該平面パネル材１ａ隣接部位から前後方向直角状に延設する脚部パネル材１ｂと連結するための連結具であって、該連結具５は、互いに雄雌係合して抜け止め状に一体化される雌型部材６と雄型部材７との二部材によって構成されている。
【００１０】
雌型部材６は、弓形に湾曲し、左右両端部が平面部パネル材１ａの前後方向一方の面に当接するよう左右幅を有した弾性変形できる本体部６ａと、該本体部６ａの湾曲内側辺６ｂの左右方向中央部位である平面パネル材隣接部位から一対が近接対向する状態で前後方向他方側（雄型部材側）に突出して形成される雌型係合部６ｃと、本体部６ａの湾曲外側辺６ｄの左右方向両側部位から左右に間隔を存する状態で前後方向一方側（反雄型部材側）に向けて左右に対向する一対が突出する嵌合部６ｅとから構成されるが、前記雌型係合部６ｃは、互いの対向間隔が狭い状態で平行状に突出していて対向間に係合溝６ｆが形成されると共に、雌型係合部６ｃの互いに対向する内辺部には、係合溝６ｆの入り口部および該入り口部より溝奥側に位置して第一、第二の二対（二段）の係止突起６ｇ、６ｈ（係止突起は二対に限定されず、一対でもまた三対以上でも良い。）が互いに対向するようにして突出形成されている。
一方、嵌合部６ｅの基端側半部６ｊは、後述する最も板厚が厚い第三パネル材１ｅの板厚よりも僅かに幅広の平行状の第一嵌合溝６ｉを形成し、先端側半部６ｋは、先端側ほど対向間隔が狭くなるよう湾曲していて、後述する最も板厚が薄い第一パネル材１ｃの板厚よりも溝幅が広いか先端側半部６ｋの弾性変形では充分な保持力を得られない溝幅の第一嵌合溝６ｉを形成しているが、該先端側半部６ｋは弾性変形して対向間隔が変更できるようになっている。
【００１１】
また雄型部材７は、弓型に湾曲し、左右両端部が平面部パネル材１ａの前後方向他方側の面板に当接する左右幅を有した弾性変形できる本体部７ａと、該本体部７ａの湾曲内側辺７ｂの左右方向中央部位から前後方向一方側（雌型部材側）に突出する雄型係合部７ｃとにより略Ｔ字形に形成されるが、雄型係合部７ｃの先端部には第一、第二の二対の係止突起７ｄ、７ｅ（係止突起は二対に限定されず、一対でもまた三対以上でも良い。）が突出形成されている。
【００１２】
そして連結具５は、雄型係合部７ｃが雌型係合溝６ｆに挿入して互いの係止突起同士が抜止め状に係止することでＴ字状に隣接する三枚のパネル材１の連結をすることになるが、この場合に、本実施の形態では、三種類に厚さが異なる第一〜第三のパネル材１ｃ、１ｄ、１ｅの連結に対応できるようになっている。図５（Ａ）に示す第一パネル材１ｃのように、肉薄で、第一嵌合溝６ｉに嵌合したとき、先端側半部６ｋの弾性変形による弾圧保持力が小さく第一パネル材１ｃの支持が十分でない場合や先端側半部６ｋがさらに肉薄で弾性変形をしないような場合、コ字形をしたスペーサ８を第一パネル材１ｃの端縁に外嵌して肉厚を便宜上厚くしたものを第一嵌合溝６ｉに挿入して先端側半部６ｋが十分に拡開するよう弾性変形させることで弾圧保持力を確保できるようにし、これにより第一パネル材１ｃをＴ字形に連結したときの脚部パネル材１ｂ（１ｃ）の連結保持ができるようになっている。
【００１３】
一方、雄型係合部７ｃを雌型係合溝６ｆに挿入して雌型部材６と雄型部材７とを雄雌嵌合して抜止め状に一体化することで雌型部材本体部６ａと雄型部材本体部７ａとのあいだに、平面部パネル材１ａの互いに隣接する端縁部同士を嵌合する第二、第三の嵌合溝５ａ、５ｂが形成されることになるが、前記肉薄の第一パネル材１ｃである場合、図５（Ａ）に示すように、雄型部材第二係止突起７ｅが雌型部材第二係止突起６ｈに係止するよう雄型係合部７ｃを雌型係合溝６ｆに深く挿入して雌型部材本体部６ａと雄型部材本体部７ａとの間隔を小さくすることで必要な弾圧保持力を確保できるようにして薄い平面部パネル材１ａ（１ｃ）同士の連結ができるようになっている。
【００１４】
またパネル材１が中厚状の第二パネル材１ｄであって第一嵌合溝６ｉに挿入した場合に、先端側半部６ｋが弾性変形して弾圧保持力が確保できる場合には、図５（Ｂ）に示すように、Ｔ字形の脚部となる脚部パネル材１ｂ（１ｄ）を直接第一嵌合溝６ｉに挿入して弾圧保持する一方、雄型部材第一係止突起７ｄが雌型部材第二係止突起６ｈに係止し、かつ雄型部材第二係止突起７ｅが雌型部材第一係止突起６ｇに係止するよう雄型係合部７ｃを雌型係合溝６ｆに挿入することで中厚状の平面部パネル材１ａ（１ｄ）同士を第二、第三嵌合溝５ａ、５ｂに嵌合しての連結ができるようになっている。
さらにパネル材１が肉厚ではあるが、第一嵌合溝６ｉに挿入できる寸法の第三パネル材１ｅである場合には、図５（Ｃ）に示すように、Ｔ字形の脚部となる脚部パネル材１ｂ（１ｅ）を直接第一嵌合溝６ｉに挿入して弾圧保持する一方、雄型部材第一係止突起７ｄが雌型部材第一係止突起６ｇに係止するよう雄型部材脚片７ｃを第一係合溝６ｆに挿入することで平面状に隣接する平面部パネル材１ａ（１ｅ）同士を第二、第三嵌合溝５ａ、５ｂに嵌合しての連結ができるようになっている。
【００１５】
三枚のパネル材１をＴ字形に連結する場合の施工の順序であるが、例えば、平面状に隣接するパネル材１を上下枠材２、３間に建て付けた後、雌型部材６と雄型部材７とをこれら隣接するパネル材１に組付け、しかる後、脚部となるパネル材１を第一嵌合溝６ｉに挿入組み込みすることでできるが、これに限定されるものではなく、施工現場において組み付けやすい手順で実施できることになる。
【００１６】
叙述の如く構成された本実施の形態において、Ｔ字状に組付けられる三枚のパネル材１を連結具５を用いて連結する場合に、脚部パネル材１ｂは、雌型部材６に形成される第一嵌合溝６ｉに嵌合保持させ、平面部パネル体１ａは、雌型部材６と雄型部材７とを雄雌嵌合したときに両部材６、７の本体部６ａ、７ａの対向間に形成される第二、第三の嵌合溝５ａ、５ｂに嵌合保持させることで連結されることになって、簡単な構成での連結ができることになる。
【００１７】
しかもこのものでは、前記雄雌嵌合したときに互いに係止して抜け止めする雌型部材６側の係止突起６ｇ、６ｈ、雄側部材７側の係止突起７ｄ、７ｅが複数形成されているため、これらの係止を選択することで、第二、第三嵌合溝５ａ、５ｂの溝幅を異ならしめることができ、肉厚が異なる平面部パネル材１ａ同士の連結にも対応することができ、都合がよい。
【００１８】
また雌型部材６に形成される第一嵌合溝６ｉについては、嵌合部６ｅの先端側半部６ｋを弾性変形させることで該部位の溝幅を異ならしめることができ、このため、脚部パネル材１ｂの肉厚が先端側半部６ｋの弾性変形により十分な弾圧保持力が確保できる場合には、この弾性変形を利用して肉厚の異なる脚部パネル材１ｂの嵌合保持をすることができる。
これに対し、脚部パネル材１ｂの肉厚が薄く、嵌合部６ｅの弾性変形では充分な弾圧保持力を確保できない場合には、脚部パネル材１ｂにスペーサ８を嵌合して肉厚を仮想的に厚いものとし、これを第一嵌合溝６ｉに嵌合することで十分な弾圧保持力を確保することができることになる。
【００１９】
因みに、パネル材１同士の連結には、平面部パネル材１ａだけの連結、直角部パネル材１ｆだけの連結もあり、そこでこれらの連結手法について、図６、図７に示す第一の参考例、図８、図９に示す第二の参考例に基づいて説明する。
【００２０】
図６、図７に示す第一の参考例のものは平面部パネル体１ａだけを連結具５で連結する事例であるが、このものは雄型部材は前記実施の形態の雄型部材７をそのまま雄型部材１０として兼用し、雌型部材９については、前記実施の形態の雌型部材６において、嵌合部６ｅの無いものを用いており（図６、図７の引出符号は、数字部分を「６」「７」から「９」「１０」に変更しただけで「アルファベット」部分については、新たに追加したもの以外は、変更しないでそのまま付した。以下、同様にして引出符号をつけた。）、雄雌嵌合したときに、雌型部材９の係止突起９ｇ、９ｈと雄型部材１０の係止突起１０ｄ、１０ｅの係止を選択することで、肉厚の異なるパネル材１の連結ができるようになっている。
【００２１】
一方、図８、９に示す第二の参考例のものは直角状（Ｌ字状）となった直角部パネル材１ｆだけの連結の事例であるが、このものは雌型部材１１の本体部１１ａを直角部パネル材１ｆの直角内側面に弾圧状に当接するように直角状に折曲形成され、雄側部材１２の本体部１２ａは直角パネル部１ｆの直角外側面に弾圧状に当接するように直角状に折曲形成されたものを用いているが、このもので雌型係合部１１ｃを前記実施の形態のものよりは深いものとしており、これにより係合突起１１ｇ、１１ｈ、１１ｉを三つとしてより確実な抜止め係止ができるようにしている。
【００２２】
さらに本発明は、図１０に示す第２の実施の形態のようにすることもできる。このものは、連結具５を雌型部材１３、雄型部材１４を用いて構成しているが、雄型部材１４側に嵌合部１４ｆを設けて該側に第一嵌合溝１４ｇを形成したものであり、これによつても本発明を実施することができる。
【００２３】
さらにまた、本発明は図１１に示す第三の実施の形態のようにすることもできる。このものは、連結具５を構成する雌型部材１５、雄型部材１６の両本体部１５ａ、１６ａの湾曲外側辺１５ｄ、１６ｈにそれぞれ嵌合溝１５ｉ、１６ｇを形成し、そして第一〜第四嵌合溝の全てにパネル材を嵌合組み込みすることで、十文字状に配したパネル材１の連結ができることになる。
【産業上の利用可能性】
【００２４】
本発明は、Ｔ字形に配設した三枚のガラス板等のパネル材を連結するパネル材の連結具として利用することができる。
【符号の説明】
【００２５】
１  パネル材
５  連結具
５ａ、５ｂ  第二、第三嵌合溝
６  雌型部材
６ａ  本体部
６ｂ  湾曲内側辺
６ｃ  雌型係合部
６ｄ  湾曲外側辺
６ｅ  嵌合部
６ｆ  係合溝
６ｇ  第一係止突起
６ｈ  第二係止突起
６ｉ  第一嵌合溝
６ｊ  基端側半部
６ｋ  先端側半部
７  雄型部材
７ａ  本体部
７ｂ  湾曲内側辺
７ｃ  雄型係合部
７ｄ  第一係止突起
７ｅ  第二係止突起
８  スペーサ
【図１】
0006467174.tif 000002
【図２】
0006467174.tif 000003
【図３】
0006467174.tif 000004
【図４】
0006467174.tif 000005
【図５】
0006467174.tif 000006
【図６】
0006467174.tif 000007
【図７】
0006467174.tif 000008
【図８】
0006467174.tif 000009
【図９】
0006467174.tif 000010
【図１０】
0006467174.tif 000011
【図１１】
0006467174.tif 000012